(57)【要約】【課題】ボンネット内でバッテリーとの設置間隔が狭いラジエータの前面の掃除やメンテナンスなどを容易に行うことができる、作業性を向上させた作業車両を提供する。【解決手段】ボンネット５内の端部近傍にバッテリー２２を備え、バッテリー２２を、ボンネット５内に設けた摺動装置３１により摺動可能に備え、この摺動装置３１は、バッテリー２２の下方と、ボンネット５の端部近傍との間に設けたロアレール３２および、バッテリー２２の摺動位置を固定する位置決め機構３４を備え、アッパーレール３３にバッテリー２２を固定する。【選択図】図３
2008296876.tif 000002
【特許請求の範囲】
【請求項１】
ボンネット内の端部近傍にバッテリーを備える作業車両において、
前記バッテリーを、前記ボンネット内に設けた摺動装置により摺動可能に備えることを特徴とする作業車両。
【請求項２】
前記摺動装置は、前記バッテリーの下方と、前記ボンネットの端部近傍との間に設けたレールおよび、前記バッテリーの摺動位置を固定する位置決め機構を備え、前記レールに前記バッテリーを固定することを特徴とする、請求項１に記載の作業車両。
【請求項３】
前記摺動装置は、前記ボンネットの底板上に設けた、両端部に取付部材を嵌装する複数の長穴を有した摺動板であって、該摺動板上に前記バッテリーを固定することを特徴とする、請求項１に記載の作業車両。
【請求項４】
前記摺動装置は、前記ボンネットの底板上に設けた、平行クランク板であって、該平行クランク板上に前記バッテリーを固定することを特徴とする、請求項１に記載の作業車両。
【請求項５】
前記摺動装置は、把持部を備えることを特徴とする、請求項１〜４に記載の作業車両。
【発明の詳細な説明】
【技術分野】
【０００１】
本発明は、ボンネット内の端部近傍にバッテリーを備える作業車両に関するものであり、より詳細には、バッテリーを、ボンネット内に設けた摺動装置により摺動可能に備えることに関する。
【背景技術】
【０００２】
従来の作業車両には、例えば、車両前部のボンネット内であって、該ボンネット後部近傍に配設されたエンジンの直前方位置にラジエータを固定配置し、さらに該ラジエータの直前方位置にバッテリーを固定配置するものがある。（特許文献１および２）
【０００３】
【特許文献１】特開２００７−７６５５７号公報
【特許文献２】特開２００６−２７３３０９号公報
【発明の開示】
【発明が解決しようとする課題】
【０００４】
しかし、このような作業車両では、ラジエータと、バッテリーとの設置間隔が、限られたボンネット内のスペースにより非常に狭く、ラジエータ前面の掃除やメンテナンスなどを行う際、隙間が狭いためにそれら作業を容易に行うことができず、場合によっては固定設置されている重量を有するバッテリーをその都度わざわざ着脱するといった煩わしく手間のかかる作業が必要となり、作業性が悪いという問題があった。
そこで、この発明の目的は、ボンネット内でバッテリーとの設置間隔が狭いラジエータの前面の掃除やメンテナンスなどを容易に行うことができる、作業性を向上させた作業車両を提供することにある。
【課題を解決するための手段】
【０００５】
このため、請求項１に記載の発明は、ボンネット内の端部近傍にバッテリーを備える作業車両において、前記バッテリーを、前記ボンネット内に設けた摺動装置により摺動可能に備えることを特徴とする。
【０００６】
請求項２に記載の発明は、請求項１に記載の作業車両において、前記摺動装置は、前記バッテリーの下方と、前記ボンネットの端部近傍との間に設けたレールおよび、前記バッテリーの摺動位置を固定する位置決め機構を備え、前記レールに前記バッテリーを固定することを特徴とする。
【０００７】
請求項３に記載の発明は、請求項１に記載の作業車両において、前記摺動装置は、前記ボンネットの底板上に設けた、両端部に取付部材を嵌装する複数の長穴を有した摺動板であって、該摺動板上に前記バッテリーを固定することを特徴とする。
【０００８】
請求項４に記載の発明は、請求項１に記載の作業車両において、前記摺動装置は、前記ボンネットの底板上に設けた、平行クランク板であって、該平行クランク板上に前記バッテリーを固定することを特徴とする。
【０００９】
請求項５に記載の発明は、請求項１〜４に記載の作業車両において、前記摺動装置は、把持部を備えることを特徴とする。
【発明の効果】
【００１０】
請求項１に記載の発明によれば、ボンネット内の端部近傍にバッテリーを備える作業車両において、バッテリーを、ボンネット内に設けた摺動装置により摺動可能に備えるので、バッテリーとラジエータとの設置間隔が狭くても、バッテリーを摺動させてバッテリーとラジエータとの間隔を広げ、ラジエータ前方に作業スペースを設けることにより、ラジエータ前面の清掃やメンテナンスなどの作業を容易にすることができる。従って、作業性を向上させた作業車両を提供することができる。
【００１１】
請求項２に記載の発明によれば、摺動装置は、バッテリーの下方と、ボンネットの端部近傍との間に設けたレールおよび、バッテリーの摺動位置を固定する位置決め機構を備え、レールにバッテリーを固定するので、重量を有するバッテリーをレール上で少ない力により摺動させて、バッテリーとラジエータとの間隔を広げるととともに、摺動させたバッテリーの固定位置を位置決め機構により変更し、ラジエータ前方における作業スペースの広さを適宜設定することができる。従って、作業性を向上させた作業車両を提供することができる。
【００１２】
請求項３に記載の発明によれば、摺動装置は、ボンネットの底板上に設けた、両端部に取付部材を嵌装する複数の長穴を有した摺動板であって、この摺動板上にバッテリーを固定するので、重量を有するバッテリーを摺動板上で少ない力により摺動させて、バッテリーとラジエータとの間隔を広げるととともに、摺動させたバッテリーおよび摺動板の固定位置を取付部材により変更し、ラジエータ前方における作業スペースの広さを適宜設定することができる。従って、作業性を向上させた作業車両を提供することができる。
【００１３】
請求項４に記載の発明によれば、摺動装置は、ボンネットの底板上に設けた、平行クランク板であって、この平行クランク板上にバッテリーを固定するので、重量を有するバッテリーを平行クランク板上で少ない力により摺動させてバッテリーとラジエータとの間隔を広げ、ラジエータ前方に作業スペースを設けることができる。従って、作業性を向上させた作業車両を提供することができる。
【００１４】
請求項５に記載の発明によれば、摺動装置は、把持部を備えるので、作業者は摺動装置の把持部を掴んで、重量を有し、掴みにくい形状のバッテリーを容易に摺動させることができ、バッテリーとラジエータとの間隔を広げてラジエータ前面の清掃やメンテナンスなどの作業を行うことができる。従って、作業性を向上させた作業車両を提供することができる。
【発明を実施するための最良の形態】
【００１５】
以下、図面を参照しつつ、この発明を実施するための最良の形態について詳述する。
図１は本発明の一実施例に係る作業車両としてのホイール式トラクタの左側面図、図２は同トラクタの平面図、図３はボンネット内部の左側面模式図である。
【００１６】
この例の作業車両であるトラクタ１は、機体フレーム２の前後に前輪３および後輪４を備え、前輪３の上方にボンネット５を形成し、その内側には原動機部としてのエンジン６およびクラッチハウジング７が配置され、さらにこのクラッチハウジング７の後部にはミッションケース８が配設されており、エンジン６からの動力が前輪３および後輪４に伝達される。そして、ボンネット５の後部に連続して、機体フレーム２上には、キャビン９が設けられる。なお、トラクタ１は、上述したようなキャビン仕様のほか、ロプス仕様であってもよい。
【００１７】
次いで、キャビン９内には、車両操作部として、ブレーキペダルやクラッチペダルなどの操作ペダル１０、ステアリングハンドル１１、シート１２などが設けられる。また、シート１２の両側方に有する左右フェンダ１３には、例えば、主変速レバー、副変速レバー、ＰＴＯ変速レバーなどの各種操作レバー１４が突設される。そして、キャビン９の外周はそれぞれフロントガラス１５、リヤガラス１６、ドア１７、屋根１８などを取付けてもよい。また、キャビン９の下方には、運転者がキャビン９に乗降するための昇降ステップ１９が機体フレーム２に固設される。
【００１８】
そして、エンジン６からの動力は、ミッションケース８後端から突出した不図示のＰＴＯ軸に伝達され、このＰＴＯ軸から、図示しないユニバーサルジョイントや三点リンク式などの作業機装着装置２０を介して車両後端に装着された不図示の作業機が駆動される。また、ボンネット５の内部は、図３に示すように、機体フレーム２上に設置された底板２１上であって、後部にエンジン６が設置されるとともに、前部には、後述する本願発明の要部であるバッテリー２２と、ラジエータ２３とが狭い間隔で配設される。なお、符号２４は、エンジン６からの排気ガスを排出するための排気管を備えるマフラーであり、符号２５は、吸気管を備えるエンジン６の助燃に必要なエアを吸気するためのエアクリーナである。
【００１９】
次に、バッテリーの摺動装置について、その具体的構成を説明する。図４は、バッテリー下方の摺動装置を示した上方からの斜視図、図５は、バッテリーの摺動を示すボンネットを引き上げた車両前部の左側面図、図６は、摺動板を用いた摺動装置の通常設置状態（ａ）および摺動状態（ｂ）を示すボンネット内の前部を前方から見た斜視図、図７は、平行クランク板を用いた摺動装置の通常設置状態（ａ）および摺動状態（ｂ）を示すボンネット内の前部を前方から見た斜視図である。
【００２０】
この例のバッテリーの摺動装置３１は、図４に示すように、それぞれ金属製（限定されない）のロアレール３２やアッパーレール３３、位置決め機構３４などから構成される。まず、底板２１上の、定位置（通常設置位置）に有するバッテリー２２における車両左右方向の端部近傍の下方から、機体フレーム２における車両進行方向の前端２ａ上まで、左右平行に取付けられた各ロアレール３２上に、バッテリー２２の前後方向長さに略等しいもしくはやや短い程度の長さを有するアッパーレール３３が、車両前後方向に摺動可能に設けられる。
【００２１】
なお、ロアレール３２の設置長さは、上述に限定されず、例えばバッテリー２２の大きさなどにより、底板２１の前端近傍までとしてもよい。また、ロアレール３２が底板２１の前端より前方に設置される場合には、ボンネット５の前端のロアレール３２に位置する下端部が、ロアレール３２の形状に沿って成形することで、ボンネット５の開閉が阻害されることがない構成とされる。
【００２２】
また、アッパーレール３３上には、固定具によりバッテリー２２が取付けられるとともに、左右いずれか（図４では右のアッパーレール３３）のアッパーレール３３における中途部内側の側部には、位置決め機構３４の、狭間状に配した複数の嵌合溝３５ａを有するラッチ板３５が設けられる。さらに、左右アッパーレール３３の前端には、該アッパーレール３３を繋ぐようにして把持部３６が取付けられる。
【００２３】
そして、左右のアッパーレール３３間であって、上方のバッテリー２２に接触しない高さで底板２１上に立設された前後ステー３７の間に、前端部に握り部３８ａを設けたロッド３８が回動可能に取付けられる。このロッド３８は、中途部にラッチ板３５の嵌合溝３５ａに嵌合させる嵌合部材３９が固設され、さらに、ロッド３８の後端部近傍に有する凹部には、底板２１上に立設されたステー４０に一端を取付けた、ラッチ板３５の嵌合溝３５ａに嵌合力を与えるバネなどの弾性体４１の他端が取付けられる。
【００２４】
ここで、ラジエータ２３前面の清掃やメンテナンスなどの作業を行う際には、図５に示すように、ボンネット５を開けた後、作業者は、まず、ロッド３８の握り部３８ａを、例えば車両左方向（車両右方向になるようにしてもよい）に傾倒させ、バッテリー２２の定位置に対応するラッチ板３５における最後部の嵌合溝３５ａに嵌合されている嵌合部材３９を、ロッド３８の回動に伴って嵌合溝３５ａから離脱させる。
【００２５】
次いで、作業者は、握り部３８ａを傾倒させたまま、把持部３６を掴んでロアレール３２上でアッパーレール３３を滑らせることにより、バッテリー２２を車両前方向に摺動させる。そして、ロアレール３２の前端部近傍までの間で、バッテリー２２をラジエータ２３から適宜位置に離間させ、ラジエータ２３前方に所望の作業スペースが生じたところで、作業者がロッド３８の握り部３８ａの手を離すと、弾性体４１の付勢力によりロッド３８の回動に伴って、上記バッテリー２２の摺動位置に対応するラッチ板３５前部側の嵌合溝３５ａに嵌合部材３９が嵌合され、バッテリー２２の位置が固定される。
【００２６】
なお、ラジエータ２３前方の作業スペースの広さ（バッテリー２２と、ラジエータ２３との離間距離）を変更したい場合は、上述同様にアッパーレール３３を、車両前方向（作業スペースを広げる場合）もしくは車両後方向（作業スペースを狭くする場合）に摺動させ、当該位置に対応するラッチ板３５の嵌合溝３５ａに嵌合部材３９を嵌合させて、バッテリー２２を当該位置に固定する。また、バッテリー２２は、ラッチ板３５における最前部の嵌合溝３５ａに嵌合部材３９を嵌合させることで固定されるが、ロアレール３２の前端部近傍には、アッパーレール３３およびバッテリー２２の脱落を防止するための図示しないストッパーなどを設けてもよい。
【００２７】
そして、ラジエータ２３前面の清掃やメンテナンスなどの作業が終了すると、作業者は上記同様にロッド３８の握り部３８ａを傾倒させて、バッテリー２２を前記摺動位置に固定している、ラッチ板３５の当該嵌合溝３５ａに嵌合する嵌合部材３９を、該嵌合溝３５ａから離脱させるとともに、把持部３６を掴んでアッパーレール３３を車両後方向に滑らせて、バッテリー２２を車両後方向の通常設置位置に摺動させる。そして、ロッド３８の握り部３８ａを手離すことで、ラッチ板３５における嵌合溝３５ａ最後部の嵌合溝３５ａに、弾性体４１の付勢力によりロッド３８を介して嵌合部材３９を嵌合させ、バッテリー２２が通常設置位置で固定される。
【００２８】
このような構成にすることで、重量を有するバッテリー２２を、ロアレール３２上を摺動可能に設けられたアッパーレール３３により、少ない力で容易に摺動させて、バッテリー２２とラジエータ２３との間隔を広げ、ラジエータ２３前方に作業スペースを設けることができる。さらには、位置決め機構３４によりバッテリー２２を任意の摺動位置で固定することができ、作業者はラジエータ２３前方に任意の作業スペースを設けることができる。また、アッパーレール３３に把持部３６が設けられるので、作業者は把持部３６を掴んで重量を有し、掴みにくい形状のバッテリー２２を容易に摺動させることができる。
【００２９】
また、摺動装置３１´は、摺動板を用いたものでもよい。この場合、例えば、図６（ａ）に示すように、定位置に有するバッテリー２２下方の、底板２１上に、バッテリー２２の左右幅よりもやや広い程度の適宜厚さを有する金属製（限定されない）などの摺動板４１が備えられる。なお、摺動板４１の前端は、図６（ａ）に示される底板２１の前端より後方であっても、底板２１の前端より前方から機体フレーム２の前端までの範囲に有するものであってもよい。
【００３０】
この摺動板４１は、前後左右端部近傍の四隅に設けられた長穴４２および、該長穴４２直下に位置する底板２１に設けられた穴部４３を貫通する、ハンドル付ボルトなどの取付部材４４により底板２１上に固定される。また、摺動板４１の左右側端部近傍における長穴４２の前後間には、適宜間隔を有して複数の長穴４２ａが左右同じ位置に設けられる。なお、取付部材４４の取付位置および取付個数は限定されない。
【００３１】
そして、摺動板４１上に、図示しない固定具でバッテリー２２が取付けられるとともに、摺動板４１の前端には把持部３６´が設けられる。さらに、摺動板４１の、例えば、左右側端部に沿って、底板２１上の前後方向に、摺動板４１の前後方向の摺動を妨げない位置で適宜長さを有する正面視逆Ｌ字型の左右ガイド板４５が立設される。
【００３２】
ここで、上述同様にバッテリー２２を摺動させる場合には、摺動板４１の四隅などで固定される取付部材４４を全て取り外し、図６（ｂ）に示すように、作業者は把持部３６´を掴んで、摺動板４１を左右ガイド板４５に沿わせて、例えば車両前方向に摺動させる。そして、ラジエータ２３前方に所望の作業スペースが生じた摺動板４１の摺動位置近傍であって、左右ニ箇所で一致した、摺動板４１の後部側の長穴４２と、底板２１の前部側の穴部４３とを、取付部材４４で固定し、摺動板４１が底板２１上で摺動位置を変更可能として固定される。
【００３３】
なお、ラジエータ２３前面の清掃やメンテナンスなどの作業が終了し、バッテリー２２を元の位置に摺動させるときは、左右ニ箇所で固定される取付部材４４を取り外し、作業者は把持部３６´を掴んで、摺動板４１を、左右ガイド板４５に沿わせて、例えば車両後方向の通常設置位置まで摺動させた後、摺動板４１の四隅などを取付部材４４で固定することにより、バッテリー２２が通常設置位置で固定される。
【００３４】
このような構成にすることで、重量を有するバッテリー２２を、摺動板４１により、少ない力で容易に摺動させて、バッテリー２２とラジエータ２３との間隔を広げ、ラジエータ２３前方に作業スペースを設けることができる。さらには、取付部材４４を、任意に一致させた摺動板４１の長穴４２と、底板２１の穴部４３とを介して固定することで、バッテリー２２を任意の摺動位置で固定することができ、作業者はラジエータ２３前方に任意の作業スペースを設けることができる。また、摺動板４１の前端に把持部３６´が設けられるので、作業者は把持部３６´を掴んで重量を有し、掴みにくい形状のバッテリー２２を容易に摺動させることができる。なお、摺動板４１を摺動させる際の案内部材は、上述した左右ガイド板４５に限定されず、例えば、底板２１に、車両前後方向に長さを有し、摺動板４１の取付部材４４を摺動可能とする不図示のガイド孔などを形成してもよい。
【００３５】
さらに、摺動装置３１´´は、平行クランク板を用いたものでもよい。この場合、例えば、図７（ａ）に示すように、通常設置位置に有するバッテリー２２下方の、底板２１上に固定された、バッテリー２２の左右幅よりもやや広い程度の適宜厚さを有する金属製（限定されない）などの固定板５１上に、固定板５１と同じ広さの平行クランク板５２を重畳させ、これら固定板５１および平行クランク板５２の左右両側部の車両前後方向に、固定板５１および平行クランク板５２を連結するとともに、平行クランク板５２を摺動可能とする四節機構５３が備えられる。なお、四節機構５３自体は公知技術であるため、詳細な説明は省略する。
【００３６】
そして、平行クランク板５２は、底板２１上に固定された固定板５１に、適宜箇所、かつ適宜個数設けられたハンドル付ボルトやフックなど限定されない固定具５４により重畳して固定される。さらに、平行クランク板５２上に、図示しない固定具でバッテリー２２が取付けられるとともに、平行クランク板５２の前端には把持部３６´´が設けられる。
【００３７】
ここで、上述同様にバッテリー２２を摺動させる場合には、作業者は、まず固定具５４を取り外し、把持部３６´´を掴んで平行クランク板５２を車両前方に引くと、図７（ｂ）に示すように、四節機構５３が、それぞれの回動軸５３ａを軸芯とし、連結部材５３ｂを回動させて、平行クランク板５２が、固定板５１上から例えば、前方かつ斜め上方向に平行に摺動させることで、平行クランク板５２上のバッテリー２２が通常設置位置から摺動位置に摺動される。従って、バッテリー２２とラジエータ２３との設置間隔が広がり、ラジエータ２３前方に作業スペースを設けることができる。なお、平行クランク板５２は、上記摺動位置において、例えば平行クランク板５２と、固定板５１との間に設けられた図示しないフックやステー（限定しない）などの留め具で固定してもよい。
【００３８】
そして、ラジエータ２３前面の清掃やメンテナンスなどの作業が終了し、バッテリー２２を元の位置に摺動させるときは、作業者は前記留め具を外し、把持部３６´´を掴んで、平行クランク板５２を、例えば車両後方向に摺動させて固定板５１上に重畳し、固定具５４で固定板５１上に固定して、バッテリー２２が通常設置位置で固定される。
【００３９】
このような構成にすることで、重量を有するバッテリー２２を、四節機構５３を介して平行クランク板５２により、少ない力で容易に摺動させて、バッテリー２２とラジエータ２３との間隔を広げ、ラジエータ２３前方に作業スペースを設けることができる。さらには、平行クランク板５２の前端に把持部３６´´が設けられるので、作業者は把持部３６´´を掴んで重量を有し、掴みにくい形状のバッテリー２２を容易に摺動させることができる。
【００４０】
なお、摺動装置３１，３１´，３１´´によるバッテリー２２の摺動方向は、上述した車両前後方向に限定されず、車両の左右方向や上方向であってもよく、バッテリー２２とラジエータ２３との間隔を広げ、もしくはラジエータ２３前方からバッテリー２２を移動させ、ラジエータ２３前方に作業スペースを設けることができればよい。
【００４１】
以上詳述したように、この例のトラクタ１は、ボンネット５内の端部近傍にバッテリー２２を備え、バッテリー２２を、ボンネット５内に設けた摺動装置３１，３１´，３１´´により摺動可能に備えるものである。そして、摺動装置３１は、バッテリー２２の下方と、ボンネット５の端部近傍との間に設けたロアレール３２（レール）および、バッテリー２２の摺動位置を固定する位置決め機構３４を備え、アッパーレール３３（レール）にバッテリー２２を固定する。また、摺動装置３１´は、ボンネット５の底板２１上に設けた、両端部に取付部材４４を嵌装する複数の長穴４２を有した摺動板４１であって、この摺動板４１上にバッテリー２２を固定する。さらに、摺動装置３１´´は、ボンネット５の底板２１上に設けた、平行クランク板５２であって、この平行クランク板５２上にバッテリー２２を固定する。そして、摺動装置３１，３１´，３１´´は、把持部３６，３６´，３６´´を備える。
【００４２】
また、上述の例では、作業車両の一例としてホイール式トラクタ（農作業車両）について説明したが、この発明はこれに限定されるものではなく、クローラ式トラクタのほか、農作業車両としてコンバインや田植機など、また、建設作業車両として、バックホー,ブルトーザ、その他除雪車両など、ボンネットを備えたあらゆる作業車両に適用することができる。
【図面の簡単な説明】
【００４３】
【図１】本発明の一例としての、ホイール式トラクタを示す左側面図である。
【図２】ホイール式トラクタの平面図である。
【図３】ボンネット内部の左側面模式図である。
【図４】バッテリー下方の摺動装置を示した上方からの斜視図である。
【図５】バッテリーの摺動を示すボンネットを引き上げた車両前部の左側面図である。
【図６】摺動板を用いた摺動装置の通常設置状態（ａ）および摺動状態（ｂ）を示すボンネット内の前部を前方から見た斜視図である。
【図７】平行クランク板を用いた摺動装置の通常設置状態（ａ）および摺動状態（ｂ）を示すボンネット内の前部を前方から見た斜視図である。
【符号の説明】
【００４４】
５    ボンネット
２１    底板
２２    バッテリー
２３    ラジエータ
３１，３１´，３１´´    摺動装置
３２    ロアレール
３３    アッパーレール
３４    位置決め機構
３５    ラッチ板
３５ａ    嵌合溝
３６，３６´，３６´´    把持部
３８    ロッド
３９    嵌合部材
４１    摺動板
４２    長穴
４３    穴部
４４    取付部材
４５    左右ガイド板
５１    固定板
５２    平行クランク板
５３    四節機構
５３ａ    回動軸
５３ｂ    連結部材
【図１】
2008296876.tif 000003
【図２】
2008296876.tif 000004
【図３】
2008296876.tif 000005
【図４】
2008296876.tif 000006
【図５】
2008296876.tif 000007
【図６】
2008296876.tif 000008
【図７】
2008296876.tif 000009